(57)【要約】【課題】比較的簡単な構成により，低コストで中空杭の杭頭部を強化することができる中空杭の杭頭部強化方法を提供する。【解決手段】補強対象とする鋼管製の中空杭３０と同径の鋼管１０内に，鉄筋を籠状に組んで形成した主筋２０の上端２１側を固着し，主筋の下端２２側を前記鋼管１０の下端１２開口部より突出させた補強材１を準備し，掘削孔内に建て込んだ中空杭３０の中空空間３２内に前記補強材１の前記主筋２０を下端側より挿入すると共に前記鋼管１０を前記中空杭３０の杭頭３２上に載置して，前記主筋２０を前記中空杭３０の杭頭３１から強化すべき深さ迄の前記中空空間３２内に懸吊し，生コンクリート等の硬化剤を前記中空杭３０と前記鋼管内に充填して硬化させる。【選択図】図１
2008223339.tif 000002
【特許請求の範囲】
【請求項１】
補強対象とする鋼管製の中空杭と同径の鋼管内に，鉄筋を籠状に組んで形成した主筋の上端側を固着し，前記主筋の下端側を前記鋼管の下端開口部より突出させた補強材を準備し，
掘削孔内に建て込んだ中空杭の中空空間内に前記補強材の前記主筋をその下端側より挿入すると共に，前記鋼管を前記中空杭の杭頭上に載置して，前記主筋を前記中空杭の杭頭から強化すべき深さ迄の前記中空空間内に懸吊し，
前記中空杭と前記鋼管内に共に硬化剤を充填して硬化させたことを特徴とする中空杭の杭頭部強化方法。
【請求項２】
前記主筋の下端に，前記中空杭の中空空間内を上下に分割する底蓋を設け，前記硬化剤を前記底蓋上における前記中空杭及び鋼管内に充填したことを特徴とする請求項１記載の杭頭部強化方法。
【請求項３】
補強対象とする鋼管製の中空杭と同径の鋼管内に，鉄筋を籠状に組んで形成した主筋の上端側を固着し，前記主筋の下端側を前記鋼管の下端開口部より前記中空杭の強化すべき長さに対応した長さで突出させたことを特徴とする中空杭の杭頭部強化用補強材。
【請求項４】
前記主筋の下端に，前記中空杭の中空空間内を上下に分割する底蓋を設けたことを特徴とする請求項３記載の中空杭の杭頭部強化用補強材。
【請求項５】
前記鋼管の下端内壁の複数箇所にそれぞれ舌片を固着して，前記舌片を該鋼管の開口部周縁より下方に向かって突出させたことを特徴とする請求項３又は４記載の中空杭の杭頭部強化用補強材。
【請求項６】
前記主筋を，高さ方向を長さ方向とする縦筋と，前記縦筋を水平方向に環状に連結する横筋により形成し，
前記主筋のうち，前記鋼管内に配置される部分において，前記横筋に，前記鋼管の内周面と面接触する外周側側面を設けたことを特徴とする請求項３〜５いずれか１項記載の中空杭の杭頭部強化用補強材。
【請求項７】
前記鋼管の外周面に，該鋼管の上端より突出する接合用鉄筋を固着したことを特徴とする請求項３〜６いずれか１項記載の中空杭の杭頭部強化用補強材。
【発明の詳細な説明】
【技術分野】
【０００１】
本発明は，中空杭の杭頭部強化方法及び杭頭部強化用補強材に関し，より詳細には，鋼管製の既製杭の中空空間内に補強材を挿入して強化する中空杭の杭頭部強化方法及び前記方法に使用する補強材に関する。
【背景技術】
【０００２】
家屋，集合住宅，その他の構造物の基礎工法において，支持層の深さにまで達する基礎杭を設け，この基礎杭の杭頭上に構造物の基礎を形成する杭基礎工法が，例えば軟弱地盤，液状化地盤等に構造物を構築する際に広く用いられている。
【０００３】
このような杭基礎における基礎杭の施工方法の一例として，中空の既製杭を使用した埋込み杭工法では，アースオーガ等の掘削機で形成した掘削孔内に，根固め液，周辺固定液としてセメントミルクを注入した後に，鋼管やコンクリート製の中空杭を建て込み，又は掘削孔内に中空杭を建て込んだ後，杭の中空孔を介してセメントミルクを根固め液として注入することにより，支持層に対する根固め，拡大球根の造成，周辺地盤と中空杭との一体化が行われている。
【０００４】
そして，このようにして製造された基礎杭上には，前述したように構造物の基礎部分が形成されると共に，この基礎部分が杭頭部に接合されて一体化が図られている。
【０００５】
このような杭基礎の構造において，基礎杭の頭部とその上に形成される構造物の基礎部分とは，前述したように一体に接合されていることから，例えば地震等による揺れが生じたときに，基礎杭の杭頭及び杭全体が，当該基礎杭が埋設された地中地盤と上部構造物を支える基礎部分と一体の動きをするため，上部構造物から伝達される水平力や回転力によって杭頭付近に大きな曲げモーメントや剪断力等が集中する。
【０００６】
特に，軟弱地盤や液状化地盤では，地震等が生じると地盤変位がより大きなものとなるために杭頭部付近に発生する剪断力や曲げモーメントはさらに大きいものとなる。
【０００７】
このように，上部構造物と基礎杭を含む地中地盤とが同期して一体の動きをすることにより生じる杭頭部の曲げモーメントや剪断力に抗するために，使用する既製杭として大径のものを使用したり，または，設置する杭の本数を増やしたりすることも考えられるが，この方法では，杭基礎の施工コストが高くなる。
【０００８】
なお，杭頭部を強化する方法としては，杭全体を大径とするのではなく，杭頭部から所定の深さまでを他の部分に比較して大径に形成して水平抵抗を満足させたものや（特許文献１参照），杭頭部から所定の深さに至る杭の外周に鋼管を巻き付けて補強することが提案されている（特許文献２参照）。
【０００９】
この発明の先行技術文献情報としては次のものがある。
【特許文献１】特開２００４−１３２０４７号公報（0006欄，図１）
【特許文献２】特開平  １０−１３１１７６号公報（0002欄，図８）
【発明の開示】
【発明が解決しようとする課題】
【００１０】
前述のように，基礎杭の杭頭部分を他の部分に比較して大径に形成することにより，又は，杭頭部分を鋼管等で補強することにより，使用する杭全体を大径とする場合や，使用する杭の本数を増加する場合に比較して，杭基礎の施工コストを低減させることができる。
【００１１】
しかし，基礎杭の杭頭部分を他の部分に比較して大径に形成するために，特許文献１に記載の発明では，杭頭位置付近に大径部を有する杭穴を掘削し，掘削孔に中空杭を建て込んだ後，前記杭穴の大径部に充填固化材を充填するという作業を必要とし，通常の埋込み杭工法に比較して作業工数の増加と，使用材料の増加を伴う。
【００１２】
杭頭部に鋼管等を巻き付けて補強する特許文献２に記載の工法にあっても同様で，杭頭部に鋼管を巻き付けるために杭頭部の外周を掘り下げ，鋼管を巻き付けた後に再度埋め戻す作業が必要である等，作業工数の増加と，鋼管等の使用材料の増加を伴う。
【００１３】
そのため，杭基礎を施工するために必要な工期が長期化すると共に，施工コストが嵩むものとなる。
【００１４】
なお，中空杭の強化方法としては，中空杭の中空空間内に，例えば異形筋を溶着する等して，中空杭と略同一長さの円筒籠状に組み立てた主筋を挿入し，該主筋と共に中空空間内に充填されている生コンクリート等の硬化剤を硬化させることで，前記主筋と中空杭とを一体的に固めて強化することも考えられる。
【００１５】
しかし，基礎杭のうち最も強化が必要な部分は，前述したように上部構造物との連結が行われる杭頭乃至はこの杭頭に対して所定の範囲内にある杭頭部分であり，必ずしも前記方法のように基礎杭の全長に亘って強化する必要はない。
【００１６】
また，前述のように基礎杭の全長に亘って強化する場合には，主筋として強化する中空杭と略同一長さを有するものを準備する必要があると共に，生コンクリート等の硬化剤についても中空杭の中空空間全体を埋め得る量を充填する必要があり，コストがかかる。
【００１７】
そこで本発明は，上記従来の欠点を解消するためになされたものであり，比較的簡単な構成により，しかも低コストで中空杭の杭頭部を強化することのできる中空杭の杭頭部強化方法及び前記方法に使用する補強材を提供することを目的とする。
【課題を解決するための手段】
【００１８】
上記目的を達成するために，本発明の中空杭の杭頭部強化方法は，補強対象とする鋼管製の中空杭３０と同径の鋼管１０内に，鉄筋を籠状に組んで形成した主筋２０の上端側を固着し，前記主筋２０の下端側を前記鋼管１０の下端１２における開口部より突出させた補強材１を準備し，
掘削孔内に建て込んだ中空杭３０の中空空間３２内に前記補強材１の前記主筋２０を下端側より挿入すると共に前記鋼管１０を前記中空杭３０の杭頭３１上に載置して，前記主筋２０を前記中空杭の杭頭３１から強化すべき深さ迄の前記中空空間３２内に吊り下げ状態で懸吊して収容し，
前記中空杭３０と前記鋼管１０内に共に生コンクリート等の硬化剤を充填して硬化させたことを特徴とする（請求項１）。
【００１９】
上記方法において，前記主筋２０の下端に前記中空杭３０の中空空間３２内を上下に分割する底蓋２７を設け，前記硬化剤を前記底蓋２７上における前記中空杭３０及び鋼管１０内に充填するように構成しても良い（請求項２）。
【００２０】
また，中空杭３０の杭頭部強化に使用する本発明の補強材１は，補強対象とする鋼管製の中空杭３０と同径の鋼管１０内に，鉄筋を籠状に組んで形成した主筋２０の上端側を固着し，前記主筋２０の下端側を前記鋼管１０の下端１２における開口部より前記中空杭３０の強化すべき長さに対応した長さで突出させたことを特徴とする（請求項３；図１参照）。
【００２１】
前記構成の補強材１において，前記主筋２０の下端に，前記中空杭３０の中空空間３２内を上下に分割する底蓋２７を設けることができる（請求項４；図６参照）。
【００２２】
さらに，前記鋼管１０の下端１２内壁の複数箇所にそれぞれ舌片１３を固着して，前記舌片１３を該鋼管１０の開口部周縁より下方に向かって突出させた構成としても良い（請求項５；図３，５参照）。
【００２３】
さらに，前記主筋２０を，高さ方向を長さ方向とする縦筋２３と，前記縦筋２３を水平方向に環状に連結する横筋２４により形成し，前記主筋２０のうち，前記鋼管１０内に配置される部分において，前記横筋２４に，前記鋼管１０の内周面と面接触する外周側側面２４ａを設けた構成としても良い（請求項６；図４参照）。
【００２４】
なお，前記鋼管１０の外周面に，該鋼管１０の上端１１より突出する接合用鉄筋１４を固着することもできる（請求項７；図１〜３，６参照）。
【発明の効果】
【００２５】
以上説明した本発明の構成より，本発明の中空杭の杭頭部補強方法及び該方法に使用する補強材によれば，以下の顕著な効果を得ることができる。
【００２６】
中空杭３０の中空空間３２内に挿入される主筋２０を，杭頭３１より下方に向かって吊り下げるように取り付けたことにより，中空杭３０の杭頭３１より所定の深さの範囲迄をこの主筋２０によって強化することができた。
【００２７】
その結果，主筋２０として中空杭３０のうちの補強する部分の長さに対応した長さの主筋２０を用意すれば良く，中空杭３０の全長と等しい長さの主筋２０を使用する場合に比較して，主筋の製造，搬送コストを低減させることができた。
【００２８】
特に，前記主筋２０の下端に底蓋２７を取り付けた構成にあっては，該蓋板２７よりも下方に対して生コンクリート等の硬化剤が入り込むことを防止でき，硬化剤の充填範囲についても前記主筋２０の挿入範囲と一致させることで，強化が必要な杭頭３１から所定の深さの範囲について強化を行うことが可能であると共に，生コンクリート等の硬化剤の使用量を大幅に減少させることができた。
【００２９】
鋼管１０の内壁下端より突出する舌片１３を設ける場合には，この舌片１３を中空杭３０の中空空間３２内に挿入するように杭頭３１上に載置することにより，中空杭３０に対する鋼管１０の位置合わせを容易に行うことができ，従ってこの鋼管１０に取り付けられた主筋２０を中空杭３０の中空空間３２内の適切な位置に配置することができた。
【００３０】
前記主筋２０のうち，前記鋼管１０内に配置される部分の横筋２４に，鋼管１０の内周面と面接触する外周側面２４ａを設けたことにより，主筋２０を鋼管１０内の所定の位置に位置ずれ等を生じさせることなく取り付けることができた。
【００３１】
前述の鋼管１０に，上部構造物の基礎と接合される接合用鉄筋１４を固着しておくことにより，主筋２０を中空杭３０に対して取り付けることにより同時に前記接合用鉄筋１４についても杭頭部３１に取り付けることができた。
【発明を実施するための最良の形態】
【００３２】
次に，本発明の実施形態を添付図面を参照しながら説明する。
【００３３】
全体構成
本発明の中空杭の杭頭部強化方法は，鋼管１０の内周に主筋２０の上端側を取り付けて成る補強材１を準備し，強化すべき中空杭３０の杭頭３１より前記主筋２０を成す縦筋２３の下端２２を挿入して杭頭３１上に前記鋼管１０を載置することで，中空杭３０の中空空間３２内に杭頭３１より所定の深さ迄，前記主筋２０を吊り下げ状態で挿入すると共に，このようにして主筋２０が挿入された中空杭３０及び鋼管１０内に，生コンクリート等の硬化剤を充填すると共に硬化させて強化するものであり，鋼管製の中空杭３０を強化対象とする。
【００３４】
補強材
本発明の杭頭強化方法に使用される前述の補強材１は，前述したように鋼管１０と，該鋼管１０内に上端側が取り付けられた主筋２０を備えると共に，必要に応じて前記鋼管１０の下端１２より突出する舌片１３，及び前記鋼管１０の外周に取り付けられて該鋼管１０の上端１１より上方に向かって突出する接合用鉄筋１４を備える。
【００３５】
鋼管
前述の鋼管１０は，その内部に後述する主筋２０の上端側を取り付けると共に，前記主筋２０を強化対象とする中空杭３０の中空空間３２内に挿入した際，杭頭３１上に当接，載置されて前記主筋２０の挿入深さを規制し，主筋２０を中空杭３０の中空空間３２内の所定の位置に吊り下げ状態に保持することができるように構成されている。
【００３６】
この鋼管１０としては，強化対象とする中空杭３０と同一径のものを使用し，本実施形態にあっては前述のようにして主筋２０を中空杭３０の中空空間３２内に挿入することにより，この鋼管１０を中空杭３０の杭頭３１上に載置すると共に，鋼管１０の下端部１２の開口縁と前記中空杭３０の杭頭３１開口縁間を，好ましくは全周に亘り例えば溶着等することによって固着することで，この鋼管１０を中空杭３０の杭頭３１に一体的に取り付けている。
【００３７】
主筋
図３に示すように，上記鋼管１０の内周に主筋２０を成す縦筋２３の上端２１側は固着され，該鋼管１０を中空杭３０の杭頭３１に載置することにより中空杭３０の中空空間３２内に吊り下げ状態で挿入される。また，主筋２０は，前記中空杭３０の中空空間３２に対する挿入方向を長さ方向とする複数本の縦筋２３と，前記縦筋２３を円周方向に連結する横筋２４により構成され，本実施形態にあっては，図１及び図２に示すように前記鋼管１０の内壁に沿って円周方向に等間隔に配置された４本の縦筋２３を横筋２４により長さ方向に連結し，あるいは，４本の縦筋２３の配置間隔で，横筋を分断し，両端面を，前記縦筋２３の円状外周面と一致し，これを嵌合可能な半円形の断面形状とし，縦筋２３を長さ方向に所定間隔毎に前記複数の横筋２４ないし後述架材２５によって連結し，円筒籠状に組み立てられている。
【００３８】
この主筋２０のうち，前記鋼管１０内に配置される部分の前記横筋２４には，外周方向に膨出する湾曲した側壁（外周側壁２４ａ）を設け（図４参照），この外周側壁２４ａの湾曲形状を鋼管１０内壁の湾曲形状に対応した形状とすることにより，鋼管１０内壁と前記横筋２４の外周側壁２４ａを面接触させることができるように構成している。このように両者の面接触を可能に構成したことによって鋼管１０内における主筋の位置ずれが防止されている。
【００３９】
縦筋２３を長さ方向に所定間隔毎に前記複数の横筋２４ないし後述架材２５によって連結する本実施形態にあっては，図４に示すように平面視において弧状を成す４本の架材２５によって，円周方向に隣接する前記縦筋２３間をそれぞれ連結することにより，平面視における前記４本の架材２５の外形を，全体として鋼管１０内径と同径の円形に構成している。
【００４０】
なお，主筋２０のうち，中空杭３０の中空空間３２内に配置される部分についても，前記同様の架材２５によって横筋２４を形成しても良いが，本実施形態にあっては無端環状に接合した異形鉄筋（フープ筋）２６の外周に，前記縦筋２３を溶着して，中空杭３０の中空空間３２内に挿入される部分の主筋２０を円筒籠状に形成している。
【００４１】
この主筋２０の全長は，中空杭３０の強化を杭頭３１よりどの程度の深さ迄行うかによって決定され，前記鋼管１０を介して前記強化範囲に杭頭３１より吊り下げられた状態に保持される。
【００４２】
前記主筋２０の全長と，中空杭３０の中空空間３２内に対する生コンクリート等の硬化剤の充填範囲は，これを必ずしも一致させる必要はなく，硬化剤の充填を前記中空杭３０の中空空間３２全体に充填しつつ，主筋２０の挿入範囲を杭頭３１から所定の深さの範囲に止めても良い。
【００４３】
一方，前記主筋２０の挿入範囲と，前記生コンクリート等の充填範囲を一致させる場合には，図６に示すように，主筋２０を構成する前記縦筋２３の下端に，中空杭３０の中空空間３２を上下に仕切る底蓋２７を溶着やボルト止め，その他の方法により固着し，これにより中空空間３２内に充填された硬化剤が，この底蓋２７よりも下方の空間内に入り込むことを防止して，主筋２０の挿入範囲と硬化剤の充填範囲を一致させることができるように構成しても良い。
【００４４】
このように，主筋２０の下端に底蓋２７を設けることで，この底蓋２７よりも下方の中空空間３２内に生コンクリート等の硬化剤が充填されることを防止でき，これにより硬化剤の使用量を減少して施工コストを低減することができる。
【００４５】
なお，この主筋２０を構成する縦筋２３の上端を，図１に示すように前述の鋼管１０の上端１１側における開口部より上方に向かって所定長さ突出し，杭頭３１上に形成される上部構造物の基礎に対する接合用にこの突出部分の縦筋２３を使用するものとしても良い。
【００４６】
接合用鉄筋
必要に応じて鋼管１０の外周に上方に突出するように取り付けられる前述の接合用鉄筋１４は，杭頭３１上に形成される上部構造物の基礎内に埋設される等して，基礎杭と上部構造物間を連結するために使用されるもので，前述の主筋２０として用いたと同様の異形鉄筋等を使用することができる。
【００４７】
この接合用鉄筋１４は，本実施形態にあっては，図１及び図２に示すように，接合用鉄筋１４と，鋼管１０内に配置される縦筋２３の円周方向における配置間隔とを略同間隔に配置し，縦筋２３間に等間隔に接合用鉄筋１４が配置されるように構成した。
【００４８】
縦筋２３と接合用鉄筋１４とをそれぞれ４本ずつ設けた図示の実施形態にあっては，縦筋２３及び接合用鉄筋１４をそれぞれ円周方向に９０°の等間隔で設け，主筋２０と接合用鉄筋１４の配置を４５°ずらした配置とすることで，４５°毎の等間隔で，縦筋２３と接合用鉄筋１４とが交互に配置されるように配置した。
【００４９】
なお，図１に示すように，主筋２０を構成する縦筋２３の上端を鋼管１０の上端１１より突出させた本実施形態の構成にあっては，この縦筋２３の上端部分が上部構造物の基礎部分に挿入されて接合用鉄筋としても機能することから，例えばこの主筋２０の縦筋２３によって十分な接合力等が確保される場合には，接合用鉄筋１４は必ずしも設ける必要はない。
【００５０】
舌片
前述の鋼管１０には，さらにその内壁に，内壁と同形状に湾曲された舌片１３が鋼管１０の下端開口縁より下方に向かって突出するように固着されており（図３及び図５参照），好ましくはこのような舌片１３を鋼管１０の内周に複数箇所，より好ましくは３箇所以上設け，中空杭３０の杭頭３１上に前記鋼管１０を載置したとき，この舌片１３によって鋼管１０の載置位置が規制されるように構成しても良い。
【００５１】
すなわち，前述のように鋼管１０の内壁に固着され，下端開口縁より突出した舌片１３の全てが，中空杭３０の杭頭３１における中空空間３２内に挿入されるように鋼管１０を中空杭３０上に載置することで，中空杭３０の杭頭３１に載置される鋼管の位置決めが行われる。
【００５２】
補強材の取付及び硬化剤の充填等
以上のように構成された補強材１は，鋼管１０側を上端として，主筋２０の下端２２側から杭頭３１より中空杭３０の中空空間３２内に挿入され，中空杭３０の杭頭３１における開口縁上に，前記鋼管１０の下端開口縁が載置される迄挿入する。
【００５３】
鋼管１０の下端開口縁からは，前述した舌片１３が下方に向かって突出されており，この舌片１３の全てを杭頭３１における前記中空杭３０の中空空間３２内に挿入することにより，中空杭３０上に，該中空杭３０を延長するように前述の鋼管１０を載置することができる。
【００５４】
以上のようにして，鋼管１０を中空杭３０上の所定の位置に載置し，中空杭３０の杭頭３１と，鋼管１０の下端１２部との接合部分を，外周から，好ましくは全周に亘って溶着し，鋼管１０を中空杭３０に一体的に取り付けて中空杭３０と共に基礎杭の一部と成す。
【００５５】
このようにして中空杭３０の杭頭３１に対して鋼管１０が取り付けられると，この鋼管１０の内周には，前述した主筋が固着されていることから，この主筋２０が中空杭３０の中空空間３２内に吊り下げ状態で収容されると共に，中空空間３２内における配置位置が決定される。
【００５６】
その結果，主筋２０の全長が中空杭３０に対して短い場合であっても，この主筋２０が中空杭３０の中空空間３２の底部迄入り込むことがなく，杭頭３１から所定の深さ迄を補強することができる。
【００５７】
また，鋼管１０の外周には，前述したように接合用鉄筋１４が固着されていることから，中空杭３０の杭頭３１には，前記鋼管１０を介して杭頭上に形成される構造物の基礎などとの連結が行われる接合用鉄筋１４が設けられる。
【００５８】
以上のようにして，杭頭３１に鋼管１０が取り付けられた中空杭３０の中空空間３２内には，生コンクリート等の硬化剤が充填され，中空杭３０内に吊り下げ状態で配置されている主筋２０と中空杭３０とがこの硬化剤により一体的に固められ，杭頭３１からは所定の深さ迄の中空杭３０の強化が行われる。
【００５９】
図６に示すように主筋２０（縦筋２３）の下端に底蓋２７を設けた場合には，この底蓋２７上にのみ生コンクリート等の硬化材を充填することができ，中空杭３０の中空空間３２内全体に生コンクリート等の硬化剤を充填する場合に比較して，硬化剤の使用量を大幅に減少することができると共に，強化が必要な杭頭３１から所定の深さの範囲，すなわち主筋２０が挿入されている範囲内には生コンクリート等の硬化剤を充填することができ，必要な強度の向上が得られるものとなっている。
【００６０】
このようにして完成した補強材１の挿入と，硬化剤の充填によって強化された基礎杭は，その後，上部構造物の基礎部分に縦筋２３の上端部分，及び接合用鉄筋１４を埋設する等して，上部構造物との接合が行われる。
【図面の簡単な説明】
【００６１】
【図１】中空杭に対する補強材の取り付け状態を示した斜視図。
【図２】補強材の平面図。
【図３】図２のIII−III線方向の断面斜視図。
【図４】横筋（架材）の取付状態を示す斜視図。
【図５】舌片の取付状態を示す斜視図。
【図６】底蓋を備えた補強材の斜視図。
【符号の説明】
【００６２】
１  補強材
１０  鋼管
１１  上端（鋼管１０の）
１２  下端（鋼管１０の）
１３  舌片
１４  接合用鉄筋
２０  主筋
２１  上端（主筋２０の）
２２  下端（主筋２０の）
２３  縦筋
２４  横筋
２４ａ  外周側壁（横筋２４の）
２５  架材
２６  フープ筋
２７  底蓋
３０  中空杭
３１  杭頭
３２  中空空間
【図１】
2008223339.tif 000003
【図２】
2008223339.tif 000004
【図３】
2008223339.tif 000005
【図４】
2008223339.tif 000006
【図５】
2008223339.tif 000007
【図６】
2008223339.tif 000008